(57)【要約】【課題】洗濯兼脱水槽の外面、水受け槽の内面に付着する洗剤カスを除去する機能を有する洗濯機において、洗濯兼脱水槽の下部の壁面に付着した洗剤カスを除去し、洗剤カスの洗濯物への再付着を防止する。【解決手段】水受け槽１６の内部に洗濯兼脱水槽３を回転自在に配設し、洗濯兼脱水槽３をモータ６により回転駆動する。水受け槽１６の内面の下方に水流撹乱部１７を設け、モータ６による洗濯兼脱水槽３の回転によって、水受け槽１６内の洗濯液に遠心力を作用させるとともに、水流撹乱部１７によって洗濯液を撹乱するように構成する。【選択図】  図１
2004329596.tif 000002
【特許請求の範囲】
【請求項１】
内部に洗濯兼脱水槽を回転自在に配設した水受け槽と、前記洗濯兼脱水槽を回転駆動する駆動手段とを備え、前記水受け槽の内面の下方に水流撹乱部を設け、前記駆動手段による前記洗濯兼脱水槽の回転によって、前記水受け槽内の洗濯液に遠心力を作用させるとともに、前記水流撹乱部によって洗濯液を撹乱するように構成した洗濯機。
【請求項２】
水流撹乱部は、水受け槽の内面の底面に少なくとも１つの突出リブを設けて構成した請求項１記載の洗濯機。
【請求項３】
水流撹乱部は、水受け槽の内面の底面に少なくとも１つの溝部を設けて構成した請求項１または２記載の洗濯機。
【請求項４】
水流撹乱部は、水受け槽の内面の底面に少なくとも１つの突出リブまたは溝部を設け、この突出リブまたは溝部は前記水受け槽の略径方向に長くした請求項２または３記載の洗濯機。
【請求項５】
水受け槽の内面に設けた溝部の深さを洗濯兼脱水槽の回転方向の上流側から下流側にかけて徐々に深くなるようにした請求項３または４記載の洗濯機。
【発明の詳細な説明】
【０００１】
【発明の属する技術分野】
本発明は、洗濯兼脱水槽の外面、水受け槽の内面に付着する洗剤カスを除去する機能を有する洗濯機に関するものである。
【０００２】
【従来の技術】
従来、代表的な洗濯機は、パルセータを回転させて洗濯するものであり、この種の洗濯機の構成を図８を参照しながら説明する。
【０００３】
図８に示すように、水受け槽１は、底部にパルセータ２を回転自在に配設した洗濯兼脱水槽３を内包し、吊り棒４により筐体５に吊り下げている。モータ６は、減速機構兼クラッチ７を介して、パルセータ２または洗濯兼脱水槽３を駆動する。排水弁８は洗濯兼脱水槽３内の洗濯液を排水し、給水弁９は洗濯兼脱水槽３内に給水するものである。
【０００４】
洗濯兼脱水槽３には脱水時の振動を低減させるための流体バランサ１０を設け、洗濯兼脱水槽３の上部には蓋１１を配設している。制御装置１２は、モータ６、排水弁８、給水弁９などを制御して、洗濯、すすぎ、脱水の一連の行程を逐次制御するものである（例えば、特許文献１参照）。
【０００５】
上記構成において動作を説明すると、洗濯兼脱水槽３に洗濯物１３と所定量の洗剤１４を投入した後、洗濯を開始すると制御装置１２により給水弁９を制御して洗濯兼脱水槽３内に所定量の水を給水し、その後制御装置１２により、モータ６を制御してパルセータ２を駆動する。パルセータ２の回転によって洗濯兼脱水槽３内の洗濯物１３と水とを撹拌し、この撹拌によって洗剤を徐々に溶解して洗濯液となり、洗濯物１３に付着した汚れを落す。
【０００６】
つぎに、洗濯物１３に残留付着した洗剤１４成分を取り除くために、汚れ、洗剤７成分を含んだ洗濯８を一度排水し、再び給水してパルセータ２を回転させ、洗濯物１３から洗剤１４成分を取り除くすすぎ行程を行う。すすぎ終了後は、すすぎに使った洗濯液を排水し、洗濯兼脱水槽３を回転させ、遠心力によって洗濯物１３に含まれた洗濯液を排出する脱水行程を行う。
【０００７】
また、従来の洗濯兼脱水槽を洗浄する手段としては、洗濯コースとは別に槽洗浄の専用のコースでパルセータなどの撹拌体を使うようにしていた（例えば、特許文献２参照）。
【０００８】
【特許文献１】
特開２００１−３７８２６号公報
【特許文献２】
特開平９−５６９７２号公報
【０００９】
【発明が解決しようとする課題】
このような従来の構成で洗濯を行うと、洗濯兼脱水槽３、水受け槽１内に発生した洗剤カス１５は槽外に排出されず残ることがあり、この洗剤カス１５は粘性が高い親油性の物質である。しかも、洗濯兼脱水槽３の下部の材質は樹脂材料が多いため、非常に親油性がよいので、洗濯兼脱水槽３の下部の壁面に吸着しやすい。特に、洗濯時において洗濯兼脱水槽３の下部の外側の底面は洗濯液の流れの力が弱いので、全体に付着しやすい。そのため一度吸着すると粘性が高いため強固に吸着し、そのまま残っていた。
【００１０】
また、この粘性の高い洗剤カス１５は僅か１時間程度で乾いてしまう。それ故、吸着したらすぐに除去する必要がある。また、この洗剤カス１５は、微生物、バクテリア等の餌になり、しかも、槽中は湿度が高いため菌の成長を促し、かびの原因になったりするので、吸着しないようにすることが必要で、吸着してもすぐに除去する必要がある。
【００１１】
しかし、従来の洗濯機では、洗濯兼脱水槽３の回転によって生じる洗濯液の流れの方向は、洗濯兼脱水槽３の回転方向だけなので、強固に吸着した洗剤カス１５を除去するに十分な力が得られず、残ったままであった。
【００１２】
本発明は上記従来の課題を解決するもので、洗濯兼脱水槽の下部の壁面に付着した洗剤カスを除去し、洗剤カスの洗濯物への再付着を防止することを目的としている。
【００１３】
【課題を解決するための手段】
本発明は上記目的を達成するために、水受け槽の内部に洗濯兼脱水槽を回転自在に配設し、洗濯兼脱水槽を駆動手段により回転駆動するよう構成し、水受け槽の内面の下方に水流撹乱部を設け、駆動手段による洗濯兼脱水槽の回転によって、水受け槽内の洗濯液に遠心力を作用させるとともに、水流撹乱部によって洗濯液を撹乱するように構成したものである。
【００１４】
これにより、水受け槽の内面の下方に水流撹乱部を設けることで、洗濯兼脱水槽の回転による水受け槽内の洗濯液の流れに乱れが起こり、撹乱の力が加わるので、洗濯兼脱水槽の下部の壁面に付着した洗剤カスを除去することができ、洗剤カスの洗濯物への再付着を防止することができる。この洗濯液の乱れた流れの一部は、洗濯兼脱水槽の下部の方向にも向い、直接、洗剤カスに衝突するので、洗濯兼脱水槽の下部に付着した洗剤カスを確実に除去することができる。
【００１５】
【発明の実施の形態】
本発明の請求項１に記載の発明は、内部に洗濯兼脱水槽を回転自在に配設した水受け槽と、前記洗濯兼脱水槽を回転駆動する駆動手段とを備え、前記水受け槽の内面の下方に水流撹乱部を設け、前記駆動手段による前記洗濯兼脱水槽の回転によって、前記水受け槽内の洗濯液に遠心力を作用させるとともに、前記水流撹乱部によって洗濯液を撹乱するように構成したものであり、従来の洗濯機では、水受け槽の内面に水流撹乱部がないため、洗濯液の流れの方向は洗濯兼脱水槽の回転によって生じる回転方向しかないため、洗濯兼脱水槽の下部の壁面に吸着した洗剤カスを除去するだけの力が得られず、洗濯兼脱水槽の下部の壁面に洗剤カスが吸着したまま残っていたが、水受け槽の内面の下方に水流撹乱部を設けることにより、洗濯兼脱水槽の回転による水受け槽内の洗濯液の流れに乱れが起こり、撹乱の力が加わるので、洗濯兼脱水槽の下部の壁面に付着した洗剤カスを除去することができ、洗剤カスの洗濯物への再付着を防止することができる。この洗濯液の乱れた流れの一部は、洗濯兼脱水槽の下部の方向にも向い、直接、洗剤カスに衝突するので、洗濯兼脱水槽の下部に付着した洗剤カスを確実に除去することができる。
【００１６】
請求項２に記載の発明は、上記請求項１に記載の発明において、水流撹乱部は、水受け槽の内面の底面に少なくとも１つの突出リブを設けて構成したものであり、簡単に水流撹乱部を構成でき、この水流撹乱部により洗濯兼脱水槽の回転による水受け槽内の洗濯液の流れに乱れが起こり、撹乱の力が加わるので、洗濯兼脱水槽の下部の壁面に付着した洗剤カスを除去することができる。
【００１７】
請求項３に記載の発明は、上記請求項１または２に記載の発明において、水流撹乱部は、水受け槽の内面の底面に少なくとも１つの溝部を設けて構成したものであり、水流撹乱部により、水受け槽の内面と洗濯兼脱水槽の外面の間の通路の一部を狭くすることもないので、この間を通過する洗濯液の抵抗を増やさないので、突出リブに比べて、洗濯兼脱水槽を回転させるエネルギーを小さく抑えることができる。
【００１８】
請求項４に記載の発明は、上記請求項２または３に記載の発明において、水流撹乱部は、水受け槽の内面の底面に少なくとも１つの突出リブまたは溝部を設け、この突出リブまたは溝部は前記水受け槽の略径方向に長くしたものであり、洗濯兼脱水槽の下部のすべての範囲において、水流撹乱部の撹拌の力を与えることができる。
【００１９】
請求項５に記載の発明は、上記請求項３または４に記載の発明において、水受け槽の内面に設けた溝部の深さを洗濯兼脱水槽の回転方向の上流側から下流側にかけて徐々に深くなるようにしたものであり、溝部の入口に円滑に洗濯液の流れを導くことができ、溝部の出口で洗濯液の流れの方向を急激に変えるので、溝部に導いた流れを効率良く撹乱することができる。また、溝部の出口での流れの方向は、洗濯兼脱水槽の下部に向いているので、洗剤カスに直接当たり、一層効果が高くなる。
【００２０】
【実施例】
以下、本発明の実施例について、図面を参照しながら説明する。なお、従来例と同じ構成のものは、同一番号を付して説明を省略する。
【００２１】
（実施例１）
図１および図２に示すように、水受け槽１６は、内部に洗濯兼脱水槽３を回転自在に配設し、内面の底面に水流撹乱部１７を設け、この水流撹乱部１７は、水受け槽１６の内面の底面に、水受け槽１６の略径方向に長い溝部１８とし、この溝部１８は、洗濯兼脱水槽３の回転方向の上流側から下流側にかけての断面形状を、図３に示すように、逆三角形として徐々に深くなるようにしている。他の構成は従来例と同じである。
【００２２】
上記構成において動作を説明する。洗濯兼脱水槽３内に洗濯物１３と洗剤１４を投入し運転を開始すると、給水弁９を開いて所定水位まで給水し、モータ（駆動手段）６を回転駆動して洗濯兼脱水槽３またはパルセータ２を回転させて、洗濯物１３に付着した汚れを落す洗濯行程を行う。つぎに、洗濯物１３に残留付着した洗剤１４成分を取り除くために、汚れ、洗剤１４成分を含んだ洗濯液を一度排水し、再び給水して、洗濯兼脱水槽３またはパルセータ２を回転し、洗濯物１３から洗剤１４成分を取り除くすすぎ行程を行う。
【００２３】
洗濯行程およびすすぎ行程においては、洗濯兼脱水槽３の回転により、洗濯物１３の洗濯、すすぎと同時に、水受け槽１６内の洗濯液に遠心力を作用させ、水流撹乱部１７によって、洗濯液を撹乱させる。
【００２４】
従来の洗濯機では、水受け槽１６の内面の底面に水流撹乱部１７がないため、洗濯兼脱水槽３の回転によって生じる回転方向の洗濯液の流れしかなく、そのため、洗濯兼脱水槽３の下部の壁面に吸着した洗剤カス１５を除去するだけの力が得られず、洗濯兼脱水槽３の下部の壁面に洗剤カス１５が吸着したまま残っていたが、本実施例では、図４に示すように、水受け槽１６内面の底面に水流撹乱部１７を設けることにより、水流撹乱部１７の溝部１８に流れが衝突したときに、矢印ａで示す渦流が起こり、流れに乱れが起こるので、撹乱の力が加わった水流が発生する。
【００２５】
この乱れた流れの方向の一部（矢印ｂ）は、上方向に飛び上がり洗濯兼脱水槽３の下部の外側の底面方向にも加わるので、洗濯兼脱水槽３の外側の下部の外側の底面に付着した洗剤カス１５を直接除去することができ、また、矢印ａで示す渦流は、水受け槽１６の内面の下部の洗剤カス１５も除去することができる。
【００２６】
また、洗濯、すすぎ行程の最中に、洗濯兼脱水槽３の下部の壁面に吸着している乾いていない状態で洗剤カス１５を除去するので、流れの乱れの力だけで除去することができる。
【００２７】
このように本実施例によれば、水受け槽１６の内面の下方に水流撹乱部１７を設け、モータ６による洗濯兼脱水槽３の回転によって、水受け槽１６内の洗濯液に遠心力を作用させるとともに、水流撹乱部１７によって洗濯液を撹乱するように構成したので、水流撹乱部１７により、洗濯兼脱水槽３の回転による水受け槽１６内の洗濯液の流れに乱れが起こり、撹乱の力が加わるため、洗濯兼脱水槽３の下部の壁面に付着した洗剤カス１５を除去することができ、洗剤カス１５の洗濯物への再付着を防止することができる。この洗濯液の乱れた流れの方向の一部は、洗濯兼脱水槽３の下部の方向にも変わり、直接、洗剤カス１５に衝突するので、一層効果が高くなる。
【００２８】
また、溝部１８形状の水流撹乱部１７を設けたことにより、水流撹乱部１７により、水受け槽１６の内面の底面と洗濯兼脱水槽３の下部の間の通路の一部を狭くすることもないので、この間を通過する洗濯液の抵抗を増やさないので、洗濯兼脱水槽３を回転させるエネルギーの上昇を小さく抑えることができる。
【００２９】
また、水流撹乱部１７は、略径方向に長い溝部１８形状としたことにより、洗濯兼脱水槽３の下部のすべての範囲において、水流撹乱部１７の撹乱の力を与えることができる。
【００３０】
また、水流撹乱部１７の溝部１８の深さを洗濯兼脱水槽３の回転方向の上流側から下流側にかけて徐々に深くなるように設けたことにより、溝部１８内に円滑に洗濯液の流れを導くことができ、溝部１８の出口で洗濯液の流れの方向を急激に変えるので、溝部１８に導いた流れを効率よく撹乱することができる。しかも、溝部１８の出口での流れの方向は、洗濯兼脱水槽３の下部に向いているので、洗剤カス１５に撹乱された洗濯液が直接当たり作用することができるため、洗剤カス１５を確実に除去することができる。
【００３１】
なお、本実施例では、溝部１８の断面形状を逆三角形として徐々に深くなるようにしているが、図５に示すように、断面逆台形の溝部１９を設けてもよく、同様の作用、効果を得ることができる。
【００３２】
また、図６に示すように、扇形状の溝部２０を設け、溝部２０の幅を広くとってもよく、同様の作用、効果を得ることができる。
【００３３】
（実施例２）
図７に示するように、水受け槽２１は、内部に洗濯兼脱水槽を回転自在に配設し、内面の底面に水流撹乱部２２を設け、この水流撹乱部２２は、突出リブ２３を設けて構成し、この突出リブ２３は水受け槽２１の略径方向に長くしている。他の構成は上記実施例１と同じである。
【００３４】
上記構成において動作を説明する。洗濯行程、すすぎ行程で洗濯兼脱水槽３を回転させることにより、洗濯物１３の洗濯、すすぎと同時に、水受け槽２１内の洗濯液に遠心力を作用させる。このとき、水流撹乱部２２を構成する突出リブ２３によって、洗濯液が撹乱される。流れの方向の一部は洗濯兼脱水槽３の下部の外側の底面に向かうので、洗濯兼脱水槽３の下部の外側の底面に付着した洗剤カス１５に直接当たり、洗剤カス１５を確実に除去することができる。
【００３５】
このように本実施例によれば、水流撹乱部２２は、水受け槽２１の内面の底面に突出リブ２３を設けて構成したので、簡単に水流撹乱部２２を構成でき、この水流撹乱部２２により洗濯兼脱水槽３の回転による水受け槽２１内の洗濯液の流れに乱れが起こり、撹乱の力が加わるので、洗濯兼脱水槽３の下部の外側の底面に付着した洗剤カス１５を除去することができる。
【００３６】
また、突出リブ２３は水受け槽２１の略径方向に長くしたので、洗濯兼脱水槽３の下部のすべての範囲において、水流撹乱部２２の撹拌の力を与えることができる。
【００３７】
さらに、実施例１と同様に、渦流も発生するため、水受け槽２１の内面の下部の洗剤カス１５も除去することができる。
【００３８】
【発明の効果】
以上のように本発明の請求項１に記載の発明によれば、水受け槽の内面の下方に水流撹乱部を設け、駆動手段による洗濯兼脱水槽の回転によって、水受け槽内の洗濯液に遠心力を作用させるとともに、水流撹乱部によって洗濯液を撹乱するように構成したから、水受け槽の内面の下方に設けた水流撹乱部により、洗濯兼脱水槽の回転による水受け槽内の洗濯液の流れに乱れが起こり、撹乱の力が加わるので、洗濯兼脱水槽の下部の壁面に付着した洗剤カスを除去することができ、洗剤カスの洗濯物への再付着を防止することができる。この洗濯液の乱れた流れの一部は、洗濯兼脱水槽の下部の方向にも向い、直接、洗剤カスに衝突するので、洗濯兼脱水槽の下部に付着した洗剤カスを確実に除去することができる。
【図面の簡単な説明】
【図１】本発明の第１の実施例の洗濯機の断面図
【図２】同洗濯機の水受け槽の一部切欠した斜視図
【図３】同洗濯機の水受け槽に設けた水流撹乱部の拡大断面図
【図４】同洗濯機の水受け槽の一部切欠した拡大斜視図
【図５】同洗濯機の水受け槽に設けた水流撹乱部の他の例の拡大断面図
【図６】同洗濯機の水受け槽の他の例の一部切欠した斜視図
【図７】本発明の第２の実施例の洗濯機の水受け槽の一部切欠した斜視図
【図８】従来の洗濯機の断面図
【符号の説明】
３  洗濯兼脱水槽
６  モータ（駆動手段）
１６  水受け槽
１７  水流撹乱部
【図１】
2004329596.tif 000003
【図２】
2004329596.tif 000004
【図３】
2004329596.tif 000005
【図４】
2004329596.tif 000006
【図５】
2004329596.tif 000007
【図６】
2004329596.tif 000008
【図７】
2004329596.tif 000009
【図８】
2004329596.tif 000010